(57)【要約】【課題】物品の搬送等において、簡単な包装形態により確実に物品を包装して保護することができ、用意に着脱作業を行うことができる物品包装固定具を提供する。【解決手段】可撓性のシート１ａ，１ｂにより内部に密閉状態の気密室５を形成して、載置台６上に載置させた物品ｂの外周部に密着して該物品を包装する略矩形状の本体１における気密室５に、給気口１１に接続して気密室内に対して気体の給気と給気口の閉塞とを行う給気部材２を設けて、本体の側部周端部に物品へ該本体を着脱自在に止め付ける固着手段３を設け、本体の下部周端部に載置台の外周端部へ係脱自在に係止し、該本体を載置台に止め付ける係止手段４を設ける。【選択図】　　図１
2004099070.tif 000002
【特許請求の範囲】
【請求項１】
可撓性のシートにより内部に密閉状態の気密室を形成して、載置台上に載置させた物品の外周部に密着して該物品を包装する略矩形状の本体と、この本体における気密室に設けた給気口に接続して前記気密室内に対して気体の給気と前記給気口の閉塞とを行う給気部材と、前記本体の側部周端部に設けて前記物品へ該本体を着脱自在に止め付ける固着手段と、前記本体の下部周端部に設けて前記載置台の外周端部へ係脱自在に係止し、該本体を前記載置台に止め付ける係止手段とを有することを特徴とする物品包装固定具。
【請求項２】
本体は、物品外周に対して略水平方向に巻き付けたことを特徴とする請求項１記載の物品包装固定具。
【請求項３】
本体は、物品の突起に合わせて切り欠き部を設けたことを特徴とする請求項１記載の物品包装固定具。
【請求項４】
固着手段は、略矩形状の本体の周縁部において該本体の相対する辺に設け、
係止手段は、前記本体の周縁部において前記固着手段の取付辺とは直交する辺に設けたことを特徴とする請求項１記載の物品包装固定具。
【請求項５】
物品は、載置台へ高さ方向へ複数に積層させて載置してあって、
本体は、前記複数層の物品外周に対して略水平方向に巻き付けたことを特徴とする請求項１記載の物品包装固定具。
【発明の詳細な説明】
【０００１】
【産業上の利用分野】
本発明は、物品の搬送等において、簡単な包装形態により確実に物品を包装して保護することができる物品包装固定具に関する。
【０００２】
【従来の技術】
従来、比較的大きい外形や重量を有する物品の搬送にあっては、パレットや移送カゴ等に載置・収容して、この物品をフィルムや結束紐，網などによりパレットや移送カゴ等と一体的に包装することで、あるいは、載置された複数個の物品同士を一体的に結合して、前記輸送時の荷崩れ等を防止していた。
【０００３】
しかしながら、フィルムによる物品の包装は、その使用後は、再利用することができないため廃棄処分されるので、資源の無駄遣いとなるばかりか、このフィルムは廃棄物となってその処理に問題点を残す。
また、結束紐，網は、反復利用できるものの、物品とパレットや移送カゴ等との一体化作業およびこれらの分離作業が面倒で、多くの手間を必要とするものであり、それぞれの作業の迅速な実施が望めないものであった。
【０００４】
【発明が解決しようとする課題】
本発明は、前記した問題点を解決するためになされたもので、可撓性のシートにより内部に密閉状態の気密室を形成して、載置台上に載置させた物品の外周部に密着して該物品を包装する略矩形状の本体における気密室に、給気口に接続して気密室内に対して気体の給気と給気口の閉塞とを行う給気部材を設けて、本体の側部周端部に物品へ該本体を着脱自在に止め付ける固着手段を設け、本体の下部周端部に載置台の外周端部へ係脱自在に係止し、該本体を載置台に止め付ける係止手段を設けることにより、物品の搬送等において、簡単な包装形態により確実に物品を包装して保護することができ、用意に着脱作業を行うことができる物品包装固定具を提供することを目的としている。
【０００５】
【課題を解決するための手段】
前記した目的を達成するための本発明の手段は、
可撓性のシートにより内部に密閉状態の気密室を形成して、載置台上に載置させた物品の外周部に密着して該物品を包装する略矩形状の本体と、この本体における気密室に設けた給気口に接続して前記気密室内に対して気体の給気と前記給気口の閉塞とを行う給気部材と、前記本体の側部周端部に設けて前記物品へ該本体を着脱自在に止め付ける固着手段と、前記本体の下部周端部に設けて前記載置台の外周端部へ係脱自在に係止し、該本体を前記載置台に止め付ける係止手段とを有する物品包装固定具の構成にある。
【０００６】
本体は、物品外周に対して略水平方向に巻き付ける。
【０００７】
本体は、物品の突起に合わせて切り欠き部を設ける。
【０００８】
固着手段は、略矩形状の本体の周縁部において該本体の相対する辺に設け、
係止手段は、前記本体の周縁部において前記固着手段の取付辺とは直交する辺に設ける。
【０００９】
物品は、載置台へ高さ方向へ複数に積層させて載置してあって、
本体は、前記複数層の物品外周に対して略水平方向に巻き付ける。
【００１０】
【実施例】
次に、本発明に関する物品包装固定具の一実施例を図面に基づいて説明する。図１〜図３および図６〜図８においてＡは物品包装固定具で、本体１と、給気部材２と、固着手段３と、係止手段４とにより基本的に構成される。
【００１１】
そして、前記した本体１は、可撓性を有するシート１ａ，１ｂにより長方形等の略矩形状で、内部に密閉状態の気密室５を形成して、載置台６上に載置させた物品ｂの外周部に密着して該物品ｂを包装し、載置台６と共に一体化させるものである。
なお、物品ｂを支承する載置台６は、図３および図４等に示すように、慣用のパレットや、図９に示すように、下部にキャスター等の可動車輪を設けた移動かご体等が用いられる。
【００１２】
また、図１に示すように、この可撓性のシート１ａ，１ｂは、合成樹脂等の素材によりそれぞれが重ね合わせて成形されていて、該シート１ａ，１ｂの最内層と最外層との間にガスバリア性を有するものであって、このシート１ａ，１ｂの周縁部７をヒートシール等により密封接合されることで袋状となり、かつ、その内部は密閉状態の気密室５が形成されている。
【００１３】
更に、この気密室５は、該気密室５内を多数の小室８，８，８…に区画してあり、これら小室８，８，８…のそれぞれを通路９，９，９…により該気密室５内に封入された気体が、互いにこれら小室８，８，８…を挿通するように連通させてある。
なお、該気密室５内には、小室８，８，８…の長さ方向と平行する芯材１２を間隔的に複数本設けてあるもので、これら小室８，８，８…の長さ方向に対する強度や保形性を高めてある。
【００１４】
これら小室８，８，８…の形成にあっては、図１に示すように、重ね合わせたシート１ａ，１ｂに対して、間隔的にヒートシール等により熱融着の接着部１０を施すことで、小室８，８，８…と気体の通路９，９，９…とが形成される。
【００１５】
前記した給気部材２は、本体１における気密室５に設けた給気口１１に接続して、気密室５内に対して気体の給気と給気口１１の閉塞とを行うものであって、気密室５の一側部へ周縁部７のヒートシール時に一体的に取り付けてある。また、この給気部材２の内部に逆止弁を内蔵させることもある。更に、この気密室５内へ気体を圧送することで、該気密室５が膨満し、この膨満状態の気密室５の内側と外側との間においてクッション作用を行う。
なお、この給気部材２は、気体の気密室５への給気と排気とを兼用使用するものであっても、また、気体の給気と排気とを別々に行う別部材に構成しても良いものである。
【００１６】
前記した固着手段３は、本体１の側部周端部に設けて、すなわち、略矩形状の本体１の周縁部において、該本体１の相対する両辺（本実施例においては本体１の長手方向における両端部）またはその一辺へ、一箇所または複数箇所に設けてあるもので、物品ｂへ該本体１を巻き付けた後、容易に本体１から離脱しないように、かつ、物品ｂに対して着脱自在に止め付ける。
この固着手段３は、例えば、図１に示すように、本体１の一辺側へベルト等の取付部材を介して取り付けた凹状の受体３ａと、本体１の他辺側へベルト等の取付部材を介して取り付けた係止体３ｂとからなり、この係止体３ｂを受体３ａへ挿入することで両者３ａ，３ｂが係合連結し、受体３ａに付設した図示しない解除部材を操作することで、両者３ａ，３ｂが外れる。なお、この固着手段３は、物品ｂへ巻き付けた本体１が、容易に該物品ｂから離脱しない構成で着脱自在な構成のものであれば、任意の手段が選定し得る。
【００１７】
前記した係止手段４は、本体１の下部周端部に設けて、すなわち、固着手段３の取付辺とは直交する辺で載置台６上の近傍に位置する箇所に設けてあって、載置台６の外周端部へ係脱自在に係止し、本体１を、いわゆる、該本体１を介して物品ｂを載置台６に止め付けるものである。
この係止手段４は、例えば、図４に示すように、本体１へベルト等の取付部材４ａを介して取り付けてあって、載置台６がパレットであった場合には、線材等により、このパレット厚（パレットを構成する上板の厚さ）に見合う形状で、該パレットを挟み付けるように形成させた略コの字状に構成させてある。
また、載置台６が移動かご体であった場合には、線材等により、図５に示すように、フック状に形成して、該載置台６における枠体６ａや載置板６ｂへ係止させるように構成させる。
【００１８】
したがって、前記のように構成される本発明に係る実施例の物品包装固定具Ａは、以下に述べる作用を奏する。
パレット式の載置台６に物品ｂを載置した場合の該物品ｂの包装固定にあっては、まず、図２に示すように、載置台６に載置した物品ｂに対して、この本体１を、物品ｂの外周に対して略水平方向に、すなわち、本体１の長手方向が横向きとなるように巻き付けて、図３に示すように、固着手段３により該本体１の両端部を接続する。
更に、本体１の下部周端部に設けた係止手段４をパレット式の載置台６の外周端へ係合しておく。この巻き付けた状態にあっては、該本体１は、物品ｂの外周面に対しては、少し隙間を有する緩い取付状態（気密室５内への未給気状態）となっており、また、係止手段４による取付状態においても、緊張状態ではない緩い少したるんだ係合がなされているものである。
【００１９】
この状態で、本体１に設けた気密室５内に対して、本体１の給気部材２から気体を供給すれば、該気体は、本体１における気密室５内の小室８，８，８…へその通路９，９，９…を経て隅々まで流動し、気密室５内が前記加圧気体によって徐々に膨らんだ状態となる。
すると、この本体１は、この気体流入による気密室５の膨らみより、水平方向（本体１の長さ方向）へ緊張しつつ、該本体１の内面が物品ｂの外周面へ密着して該物品ｂを締め付け、該本体１と物品ｂとが一体的となる。
更に、載置台６に係合させた係止手段４も、この気密室５の膨らみより緊張されて引っ張られるため、前記において本体１と物品ｂとが一体的になった状態と合わせて、これら一体物と載置台６とがこの物品包装固定具Ａにより一体的となる。
【００２０】
このとき、気密室５の膨満度を見計らって給気部材２を閉栓することで、本体１の気密室５内が密封状態に保持される。
【００２１】
こうして、物品ｂと載置台６とが物品包装固定具Ａにより一体化させれば、パレット式の載置台６の場合には、フォークリフトのフォークによって載置台６を持ち上げて移動させたとき、その慣性や振動等を受けても、物品ｂは、載置台６上において妄動することなく安定的に保持されて、良好な包装状態を維持させることができると共に、物品ｂはその外周部を本体１により覆われているため、外力などに起因する損傷を防止することができる。
【００２２】
特に、この物品包装固定具Ａは、包装固定する物品ｂが、図２および図３に示すように、載置台６に高さ方向へ複数（複数枚や複数段）に積層させて載置した形態に対してより有効的に働くもので、すなわち、載置台６に高さ方向へ複数に積層させた各物品ｂは、そのままの状態では、横方向へ掛かる力に対しては比較的弱いもので、この各物品ｂは各層ごと容易に滑って水平方向へ分離しバラバラになりやすい。
これに対して、この水平方向へ移動し易い各物品ｂを、その周端部においてこれらをまとめて包持させることで、いわゆる、本体１を、この複数層となる各物品ｂの外周全面に対して略水平方向に巻き付けることで、この本体１により該複数層の各物品ｂを一纏めにした一体物とすることができる。
【００２３】
また、該物品包装固定具Ａにおける本体１は、その非使用時にあって、給気部材２から供給した気体をこの給気部材２より外気へ排出して、幾重かに折り畳めば、薄厚状のコンパクトな形態となって収納や移動とに便利となるものであり、更に、繰り返し利用することができる利便性を有するものである。
【００２４】
なお、この物品包装固定具Ａにおける本体１は、図６〜図８に示すように、物品ｂの外周部に形成された突起ｂ１に合わせて、該突起ｂ１を逃げた切り欠き部１３を設けることもあるもので、本体１における長手方向の両端部あるいはそのどちらか一方の端部に形成してある。
また、図示してないが、本体１における中間部適所に窓穴状に設けることもできる。
【００２５】
この例によれば、図７に示すように、載置台６に載置した物品ｂに対して、この本体１を、物品ｂの外周に対して略水平方向に、すなわち、本体１の長手方向が横向きとなるように巻き付けて、図８に示すように、本体１に設けた切り欠き部１３を、物品ｂの突起ｂ１に対応させて本体１をこの突起ｂ１に被さらないように突起ｂ１の外周部にあてがい、固着手段３により該本体１の両端部を接続して包持する。
更に、本体１の下部周端部に設けた係止手段４をパレット式の載置台６の外周端へ係合しておく。この巻き付けた状態にあっては、該本体１は、物品ｂの外周面に対しては、少し隙間を有する緩い取付状態となっており、また、係止手段４による取付状態においても、緊張状態ではない緩く係合しているものである。
【００２６】
この状態で、本体１に設けた気密室５内に対して、本体１の給気部材２から気体を供給すれば、該気体は、本体１における気密室５内の小室８，８，８…へその通路９，９，９…を経て隅々まで流動し、気密室５内が加圧気体によって徐々に膨らんだ状態となる。
すると、この本体１は、この気体流入による気密室５の膨らみより、水平方向へ緊張しつつ該本体１の内面が物品ｂの外周面へ密着して、該本体１と物品ｂとが一体的となる。
更に、載置台６に係合させた係止手段４も、この気密室５の膨らみより緊張されるため、前記本体１と物品ｂとが一体的になった状態と合わせて、これら一体物と載置台６とが一体的となる。
【００２７】
このとき、給気部材２を閉栓することで、本体１の気密室５内が密封状態となる。
【００２８】
なお、図９において６は、下部にキャスター等の車輪を設けた移動かご体等の載置台を示すもので、一台積みあるいは、枠体６ａに載置板６ｂを取り付けることで複数段に物品ｂを積み込むことができる。
この例にあって、物品包装固定具Ａは、図１０に示すように、その本体１には固着手段３のみを、その長手方向の両端部または一方端部に設けたものを用いることもできるものである。
【００２９】
この物品包装固定具Ａを使用する場合には、図１１および図１２に示すように、載置台６上に載置した物品ｂの該周面へ、本体１を略水平方向へ巻き付け、該本体１の端部に取り付けたそれぞれの固着手段３を、載置台６の上面周縁部へ間隔的に多数個設けた係止受体１４へ係合させて、物品ｂに対して本体１が容易に動かない程度の緩さとなるように巻き付ける。
【００３０】
そして、前記した実施例同様に、本体１の適所に取り付けた給気部材２から気体を供給すれば、その気密室５内に流入した気体の膨出力により、該本体１は水平方向へ緊張して、物品ｂ面に密着すると共に、この物品ｂと一緒に載置台６へ一体的に止め付けられることで、物品ｂの包装固定がなされる。
【００３１】
この載置台６上には、物品ｂを複数個並べて載置させることができるもので、このときは、各物品ｂ，ｂの間へ、図１２に示すように、所定の大きさに形成した内部に加圧気体が充満する気密室５０を有する本体１００を介在させれば、各物品ｂ，ｂ間の緩衝作用を行うことができる。
【００３２】
この物品包装固定具Ａを用いた場合、本体１を、図１３に示すように、物品ｂの外周に対して垂直方向に、すなわち、本体１を縦方向に巻き付けることもできるもので、該本体１の端部に取り付けたそれぞれの固着手段３を、載置台６（載置台６に付設した載置板６ｂ）の端面周縁部へ間隔的に多数個設けた係止受体１４へ係合させて、物品ｂに対して本体１が容易に動かない程度の緩さとなるように巻き付ける。
【００３３】
そして、前記した実施例同様に、本体１の適所に取り付けた給気部材２から気体を供給すれば、その気密室５内に流入した気体の膨出力により、該本体１は水平方向へ緊張して、物品ｂ面に密着すると共に、この物品ｂと一緒に載置台６へ一体的に止め付けられることで、物品ｂの包装固定がなされる。
このとき、載置台６における載置板６ｂと物品ｂの下面との間に、所定の大きさに形成した内部に、加圧気体が充満する気密室５０を有する本体１００を介在させることで、載置板６ｂと物品ｂの下面との当接接触が、本体１のエアークッション作用により行われて、物品ｂに掛かる振動の吸収などがより良好に行われる。
載置台６へ物品ｂを複数個並べて載置した場合は、図１３に示すように、これら物品ｂごとに、個々の物品包装固定具Ａを用いて包装固定させることが好ましい。
【００３４】
なお、該物品包装固定具Ａによる載置台６における物品ｂの包装固定にあっては、図１３に示すように、載置台６における載置板６ｂと物品ｂの上面との間および載置台６における底板６ｃと物品ｂの下面との間へ、所定の大きさに形成した内部に加圧気体が充満する気密室５０を有する本体１００を介在させれば、その給気部材２から気体を供給すれば、本体１の気密室５内に流入した気体の膨満力によって、物品ｂを載置板６ｂと底板６ｃとの間にエアークッションにより挟み付けて固定することができる。
【００３５】
【発明の効果】
本発明に係る物品包装固定具は、載置台に載置された物品外周および載置台に対して、簡単に着脱させることができて、迅速な物品の梱包作業を行うことができ、しかも確実に包装固定させることができる。また、この包装固定の使用後においても、再利用することができ、外形状の異なる物品に対して比較的柔軟に対応することができる汎用性を有する。
【図面の簡単な説明】
【図１】本発明に関する物品包装固定具の一実施例を一部を破断して示す正面図である。
【図２】図１における物品包装固定具の取付状態を示す斜視図である。
【図３】図１における物品包装固定具の取付後の状態を示す斜視図である。
【図４】図１における物品包装固定具の係止手段を示すもので、（ａ）は縦断面図を、（ｂ）は斜視図をそれぞれ示す。
【図５】図１における物品包装固定具の他の例の係止手段を示すもので、（ａ）は縦断面図を、（ｂ）は斜視図をそれぞれ示す。
【図６】図１における物品包装固定具の他の例を示す正面図である。
【図７】図６における物品包装固定具の取付状態を示す斜視図である。
【図８】図６における物品包装固定具の取付後の状態を示す斜視図である。
【図９】図１における物品包装固定具の使用する他の例の載置台を示す斜視図である。
【図１０】図１における物品包装固定具の更に他の例を示す正面図である。
【図１１】図１０における物品包装固定具の使用状態を示す簡略化した平面図である。
【図１２】図１０における物品包装固定具の他の例の使用状態を示す簡略化した平面図である。
【図１３】図１０における物品包装固定具の更に他の例の使用状態を示す簡略化した平面図である。
【符号の説明】
Ａ…物品包装固定具．ｂ…物品．１…本体．１ａ，１ｂ…可撓性のシート．２…給気口．３…固着手段．４…係止手段．５…気密室．６…載置台．１１…遮蔽部材．２２…遮断部材．
【図１】
2004099070.tif 000003
【図２】
2004099070.tif 000004
【図３】
2004099070.tif 000005
【図４】
2004099070.tif 000006
【図５】
2004099070.tif 000007
【図６】
2004099070.tif 000008
【図７】
2004099070.tif 000009
【図８】
2004099070.tif 000010
【図９】
2004099070.tif 000011
【図１０】
2004099070.tif 000012
【図１１】
2004099070.tif 000013
【図１２】
2004099070.tif 000014
【図１３】
2004099070.tif 000015